(57)【要約】【課題】真下から偏心した床面や、壁部を効率よく照明できる照明器具を提供する。【解決手段】電球型ＬＥＤランプ３０は、ＬＥＤ光源３１から照射される照射方向が、口金３４の軸心ＣＬ１に対して傾斜状態又は垂直状態になるように、ＬＥＤ光源３１が斜めに取り付けられている。電球型ＬＥＤランプ３０は、ＬＥＤ光源３１を回転させる台座３５を有するので、台座３５を回転させることにより、ＬＥＤ光源３１から照射される光の照射方向は、所望の方向へ向けることができる。器具本体２０内部には、電球型ＬＥＤランプ３０を装着するソケット２１が取り付けられており、電球型ＬＥＤランプ３０の一部が、器具本体２０の下端部の照射開口部２３１を設けた一端側から突出している。このため、天井等に遮られることなく、電球型ＬＥＤランプ３０から斜め方向に照射される光をほとんど照射方向へ発することができるので、真下から偏心した床面や、壁部を効率よく照明できる。【選択図】図１
2013145683.tif 000002
【特許請求の範囲】
【請求項１】
ＬＥＤ光源と、前記ＬＥＤ光源を収容する透光性カバーと、前記透光性カバーを保持するランプ本体と、前記ランプ本体の透光性カバーとは反対側に設けられる口金と、を有し、
前記ＬＥＤ光源から照射される照射方向が、前記口金の軸心に対して傾斜状態又は垂直状態になる電球型ＬＥＤランプと、
前記電球型ＬＥＤランプの前記口金を着脱自在に電気的に接続するソケットと、
一端側に照射開口部を有する筒状部を備えその内側に前記ソケットを収容支持する器具本体と、を備え、
前記電球型ＬＥＤランプの一部が、前記器具本体の前記照射開口部を設けた一端側から突出する照明器具。
【請求項２】
請求項１に記載の照明器具において、
前記電球型ＬＥＤランプが、前記ＬＥＤ光源を回転させる台座を有する照明器具。
【請求項３】
請求項１または請求項２に記載の照明器具において、
前記電球型ＬＥＤランプの外周側に、前記口金の軸心と平行に突出する突出部を有する照明器具。
【請求項４】
請求項３に記載の照明器具において、
前記突出部が壁部であり、前記電球型ＬＥＤランプから照射される光が遮られない照射部の外側に設けられている照明器具。
【発明の詳細な説明】
【技術分野】
【０００１】
本発明は、電球型ＬＥＤランプを用いたダウンライト型の照明器具に関するものである。
【背景技術】
【０００２】
従来より、天井等に設けられた取付孔に取り付けて、主に下方を照明するダウンライト型の照明器具が知られている（例えば、特許文献１参照）。
図６に示すように、特許文献１に記載のダウンライト型の照明器具１００は、器具本体１０１、反射鏡１０２、反射鏡１０２を器具本体１０１に支持する支持部材１０３、反射鏡１０２の本体内に配置されるランプ１０４を有する。
【０００３】
器具本体１０１は、天板１０５および天板１０５の両端に支持脚１０６，１０６を一体に有して略逆Ｕ字の枠体に形成されている。天板１０５には、ソケット１０７が取り付けられ、器具本体１０１内に収容される。
反射鏡１０２は、上端に設けられている支持部１０８を器具本体１０１の内部に上向きに挿入し、支持部１０８をソケット１０７に外嵌して位置決めされる。同時に、反射鏡１０２は、支持部材１０３の凸部１０３Ａを、支持部１０８の穴１０８Ａに挿嵌して支持される。
【先行技術文献】
【特許文献】
【０００４】
【特許文献１】特開２００８−１０２５４号公報（第１図）
【発明の概要】
【発明が解決しようとする課題】
【０００５】
ところで、前述したような照明器具においては、主に下方を照明するものであり、用いられているランプは、３６０度全方向に光を照射するものであった。
従って、天井に取り付けて、真下から偏心した床面や、壁部を照明するには、反射鏡を天井に対して斜めに取り付けたり、ランプを斜めに取り付けたりすることが行われている。
しかしながら、このように、反射鏡やランプを斜めに取り付けて，壁方向を照明するのは、照明効率が悪いという問題があった。
【０００６】
本発明は、従来の問題を解決するためになされたもので、真下から偏心した床面や、壁面を効率よく照明できる照明器具を提供することを目的とする。
【課題を解決するための手段】
【０００７】
本発明の照明器具は、ＬＥＤ光源と、前記ＬＥＤ光源を収容する透光性カバーと、前記透光性カバーを保持するランプ本体と、前記ランプ本体の透光性カバーとは反対側に設けられる口金と、を有し、前記ＬＥＤ光源から照射される照射方向が、前記口金の軸心に対して傾斜状態又は垂直状態になる電球型ＬＥＤランプと、前記電球型ＬＥＤランプの前記口金を着脱自在に電気的に接続するソケットと、一端側に照射開口部を有する筒状部を備えその内側に前記ソケットを収容支持する器具本体と、を備え、前記電球型ＬＥＤランプの一部が、前記器具本体の前記照射開口部を設けた一端側から突出するものである。
【０００８】
さらに、本発明の照明器具は、前記電球型ＬＥＤランプが、前記ＬＥＤ光源を回転させる台座を有するものである。
【０００９】
また、本発明の照明器具は、前記電球型ＬＥＤランプの外周側に、前記口金の軸心と平行に突出する突出部を有するものである。
【００１０】
さらに、本発明の照明器具は、前記突出部が壁部であり、前記電球型ＬＥＤランプから照射される光が遮られない照射部の外側に設けられているものである。
【発明の効果】
【００１１】
本発明では、電球型ＬＥＤランプは、ＬＥＤ光源から照射される照射方向が、口金の軸心に対して傾斜状態又は垂直状態になるように、ＬＥＤ光源が斜めに取り付けられている。また、器具本体内部には、電球型ＬＥＤランプの一部が、器具本体の照射開口部を設けた一端側から突出するように収容されている。このため、電球型ＬＥＤランプから光が斜め方向に照射されるので、真下から偏心した床面や、壁面を効率よく照明できるという効果を有する照明器具を提供できる。
【図面の簡単な説明】
【００１２】
【図１】本発明に係る実施形態の照明器具の断面図
【図２】本発明に係る実施形態の照明器具の分解斜視図
【図３】（Ａ）はＬＥＤ電球の側面図であり、（Ｂ）は断面図
【図４】ＬＥＤ電球の別の例を示す側面図
【図５】（Ａ）は本発明に係る実施形態の照明器具による配光状態を示す側面図であり、（Ｂ）は斜め下方から見た斜視図であり、（Ｃ）は下方から見た底面図
【図６】（Ａ）は従来のダウンライト型の照明器具の断面図であり、（Ｂ）は（Ａ）中Ｂ方向から見た側面図であり、（Ｃ）は（Ａ）中Ｃ方向から見た側面図
【発明を実施するための形態】
【００１３】
以下、本発明に係る実施形態の照明器具について、図面を用いて説明する。
図１に示すように、本発明に係る実施形態の照明器具１０は、被取付部である天井１１に設けられている取付孔１２に取り付けて、主に下方や壁面等を照明するウォールウォッシャー型のダウンライトとして用いることができる。
【００１４】
図１および図２に示すように、照明器具１０は、取付孔１２に取り付けられる器具本体２０と、器具本体２０の内部に取り付けられるソケット２１と、ソケット２１に装着されるＬＥＤ電球（電球型ＬＥＤランプ）３０を有する。
【００１５】
器具本体２０は、円板形状の天板２２と、天板２２の外周部から下方に延びる円錐台形状の筒状部２３を有する。
天板２２の下面の、器具本体２０の中心ＣＬ位置には、ソケット２１が取り付けられている。
筒状部２３の周壁は下方へ向かって拡径しており、下端は下方に開口（照射開口部２３１）している。照射開口部２３１には、外向きに水平に突出する鍔部２４が設けられている。鍔部２４は、器具本体２０を取付孔１２に取り付けた状態で、天井１１の下面に当接して露出する。
なお、筒状部２３は、上述したような円形断面のほか、多角形断面でも良い。
【００１６】
図３に示すように、ＬＥＤ電球３０は、ＬＥＤ（ＬＥＤ光源）３１と、ＬＥＤ３１を収容する透光性カバー３２と、透光性カバー３２を回転可能に保持するランプ本体３３と、ランプ本体３３に取り付けられる口金３４を有する。口金３４は、ソケット２１にねじ込まれて、点灯電力の供給を受ける。
【００１７】
ランプ本体３３は、口金３４側である上端から下端に向かって直線的に拡径テーパ面を有しており、円錐台形状を呈している。
なお、図４に示すように、本発明では、ランプ本体３３Ｂが、直線的ではなく、内側に凹んだ曲線形状で拡径するＬＥＤ電球３０Ｂの場合も含む。
また、本発明は、ランプ本体のテーパ面に放熱フィンが設けられたＬＥＤ電球にも適用可能である。
以下の説明においては、図３に示すＬＥＤ電球３０を用いる場合について説明する。
【００１８】
ランプ本体３３の下側には、後側（ＬＥＤ３１の照射方向と反対側）に後壁３６が設けられており、後壁３６の前部には支持壁３６１が傾斜して設けられている。支持壁３６１には、台座３５が回転可能に支持されており、台座３５には、ＬＥＤ３１が取り付けられている。
従って、ＬＥＤ３１は、斜め方向に光を照射することになる。このため、ＬＥＤ電球３０の照射方向は、真下である口金３４の軸心ＣＬ１（すなわち、器具本体２０の中心ＣＬと同じ）方向に対して、傾斜状態又は垂直状態となる（図３（Ａ）中矢印Ａ参照）。
【００１９】
台座３５は回転軸３５１を有しており、回転軸３５１は、後壁３６の支持壁３６１に、回転可能に支持されている。台座３５には、ＬＥＤ３１を収容する透光性カバー３２が一体的に取り付けられている。
従って、透光性カバー３２を持って、台座３５の回転軸３５１の中心ＣＬ２回りに回転させることにより、台座３５が後壁３６の支持壁３６１に対して回転する。これにより、ＬＥＤ３１が透光性カバー３２と一体で回転するので、ＬＥＤ３１の照射方向が変わる。
【００２０】
図１に示すように、ＬＥＤ電球３０は、ソケット２１に装着した状態で、一部が器具本体２０の照射開口部２３１を設けた一端側から下方に突出している。ここでは、透光性カバー３２の略全体が突出している。
また、図１および図２に示すように、ＬＥＤ電球３０の外周側に、口金３４の軸心ＣＬ１（すなわち、器具本体２０の中心ＣＬ）と平行に突出する突出部２５を有する。突出部２５は、ＬＥＤ電球３０の後方、すなわち後壁３６の外側に設けるのが望ましい。
これにより、器具本体２０の向きが容易にわかるので、器具本体２０内のＬＥＤ電球３０の向きも容易にわかる。
【００２１】
突出部２５は、ＬＥＤ電球３０の後壁３６から一定の距離をおいて壁状（壁部）に設けるのが望ましい。このとき、突出部２５がＬＥＤ電球３０の照射範囲（照射部３７、図５参照）に入らないように、器具本体２０の中心ＣＬ回りに一定の角度以下とするのが効率的だが、特に狭い範囲に限定して照明したい場合には、突出部２５をより大きな範囲に設けるのが好適な場合もある。
また、突出部２５は、下端が、ＬＥＤ電球３０の下端よりも下方に位置する高さとするのが望ましい。突出部２５の下端の方が、ＬＥＤ電球３０の下端よりも高い位置にある場合には、ＬＥＤ電球３０が眩しい場合があるためである。
【００２２】
突出部２５は、例えば、器具本体２０の鍔部２４の下面に沿って，設けることができる。突出部２５は、器具本体２０と別個に設けて、器具本体２０にねじやカシメで取り付けることができる（図２参照）。あるいは、器具本体２０と一体的に設けることもできる（図１参照）。
なお、突出部２５は、不透光性の材料で形成するのが望ましい。
【００２３】
図５（Ａ）、（Ｂ）および（Ｃ）には、上述したＬＥＤ電球３０により、下方および壁面を照明する状態が示されている。器具本体２０は、突出部２５が照明方向と反対側に位置するように、取付孔１２に取り付ける。また、上述したＬＥＤ電球３０では、ＬＥＤ３１から照射される照射方向は、器具本体２０の中心ＣＬ（すなわち口金３４の軸心ＣＬ１）に対して傾斜しており、壁面等に向かって光を照射するようにＬＥＤ電球３０をソケット２１に装着する。
このとき、ＬＥＤ電球３０の下部が器具本体２０の照射開口部２３１を設けた一端側から下方へ突出しているので、下方および壁面を効率よく照射することができる。なお、透光性カバー３２を回転させることにより、照射方向を微調整できるので、一層効率よく照射することができる。
【００２４】
以上、説明した本発明に係る実施形態の照明器具１０によれば、ＬＥＤ電球３０は、ＬＥＤ３１から照射される照射方向が、口金３４の軸心ＣＬ１に対して傾斜状態又は垂直状態になるように、ＬＥＤ３１が斜めに取り付けられている。
さらに、ＬＥＤ電球３０は、ＬＥＤ３１を回転させる台座３５を有するので、台座３５を回転させることにより、ＬＥＤ３１から照射される光の照射方向は、所望の方向へ向けることができる。
【００２５】
そして、器具本体２０内部には、ＬＥＤ電球３０を装着するソケット２１が取り付けられており、ＬＥＤ電球３０の一部が、器具本体２０の下端部の照射開口部２３１を設けた一端側から突出するように取り付けられる。このため、天井１１等に遮られることなく、ＬＥＤ電球３０から斜め方向に照射される光をほとんど照射方向へ発することができるので、真下から偏心した床面や、壁面を効率よく照明できる。また、ＬＥＤ電球３０の器具本体２０の照射開口部２３１を設けた一端側から突出している部分を持ってＬＥＤ電球３０の着脱をできるので、作業性が向上する。
また、台座３５を回転させることによりＬＥＤ３１の向きを調整できるので、レイアウトの変更や調整を容易にできる。
【００２６】
また、ＬＥＤ電球３０の外周側に、口金３４の軸心ＣＬ１と平行に突出する突出部２５を有するので、ＬＥＤ電球３０の向きを容易に把握することができ、照射方向を所望の方向に容易に合わせることができる。
【００２７】
さらに、突出部２５が壁状であり、ＬＥＤ電球３０から照射される光が遮られない照射部３７の外側に設けられているので、光を遮らず、効率よく照明できる。
また、突出部２５によってＬＥＤ電球３０を目隠しするので、グレアカットすることができる。
【００２８】
なお、本発明の照明器具１０は、前述した実施形態に限定されるものでなく、適宜な変形，改良等が可能である。
例えば、前述した実施形態においては、ＬＥＤ電球３０の後壁３６をランプ本体３３に対して固定して設け、台座３５を後壁３６に対して回転可能に設けた場合を例示したが、後壁３６をランプ本体３３に対して回転可能に設けることもできる。この場合には、ランプ本体３３と後壁３６との間に台座３５を回転可能に設けるようにする。
これにより、ＬＥＤ電球３０をソケット２１に装着した際に、ＬＥＤ３１の照射方向が壁面からずれて所望の方向でない場合には、透光性カバー３２を回転させることにより、容易に、照射方向を所望の方向に向けることができる。
【００２９】
また、前述した実施形態においては、床面および壁面等を照明する場合を例示したが、このほか、以下のような場合にも、有効に用いることができる。
例えば、洗面台等に設けて使用者の顔を重点的に照明する場合や、階段の上方に設けて段差をはっきり照明する場合や、寝室に設けて隣の人に眩しくないように照明する場合等に用いることもできる。
【符号の説明】
【００３０】
１０  照明器具
２０  器具本体
２１  ソケット
２３  筒状部
２３１  照射開口部
２５  突出部
３０  ＬＥＤ電球（電球型ＬＥＤランプ）
３１  ＬＥＤ（ＬＥＤ光源）
３２  透光性カバー
３３  ランプ本体
３４  口金
３５  台座
３７  照射部
ＣＬ１  軸心
【図１】
2013145683.tif 000003
【図２】
2013145683.tif 000004
【図３】
2013145683.tif 000005
【図４】
2013145683.tif 000006
【図５】
2013145683.tif 000007
【図６】
2013145683.tif 000008